(57)【要約】【課題】組立時などにおける回転テーブルやゼンマイバネの飛び出しを防止する。【解決手段】フラットケーブルの一端側を保持する中心軸７が立設されたベースプレート１と、ベースプレートの上面に回転自在に配置される回転テーブル２と、ベースプレートと回転テーブルとの間に介装され、回転テーブルをフラットケーブルの巻取方向に回転付勢するゼンマイバネ３と、ベースプレートに固定されることで、内周壁面に突設されたリブ４Ｂにより回転テーブルの上方への飛び出しを阻止する筒壁体４と、回転テーブルの上面に配設され、ゼンマイバネによって回転付勢された回転テーブルの巻取方向への回転によりフラットケーブルを巻き取る複数の案内ローラ５と、を具備する。【選択図】図１
2020029312.tif 000002
【特許請求の範囲】
【請求項１】
フラットケーブルの一端が接続され、他端側を繰り出し可能に巻き取るフラットケーブル巻取装置であって、
上面中心部に前記フラットケーブルの一端側を保持する中心軸が立設されたベースプレートと、
前記ベースプレートの上面に配置され、中心孔を前記中心軸に嵌めることで、前記中心軸の周りに回転自在に支持される回転テーブルと、
前記ベースプレートと前記回転テーブルとの間に介装され、一端が前記回転テーブルに係止され、他端が前記ベースプレートに係止されることで、前記回転テーブルをフラットケーブルの巻取方向に回転付勢する付勢部材と、
前記付勢部材及び前記回転テーブルを内部に収容しつつ前記ベースプレートに装着される筒壁体と、を備え、
前記筒壁体の内周壁面には、前記筒壁体が前記ベースプレートに固定された状態で、前記回転テーブルの前記ベースプレートから離隔する方向への飛び出しを阻止するリブが形成されている
ことを特徴とするフラットケーブル巻取装置。
【請求項２】
前記回転テーブルの上面には、前記付勢部材によって回転付勢された前記回転テーブルの巻取方向への回転によりフラットケーブルを巻き取る複数の案内ローラが周方向に沿って複数配設されている
ことを特徴とする請求項１に記載のフラットケーブル巻取装置。
【請求項３】
請求項２に記載のフラットケーブル巻取装置の組立方法であって、
前記回転テーブルの下面に前記付勢部材を取り付け、それを前記ベースプレートに取り付けた後、前記ベースプレートに前記筒壁体を組み付け固定し、その状態で、前記回転テーブルを巻取方向と反対方向に回転させて前記付勢部材に付勢力を蓄えさせた上で、前記複数の案内ローラを前記回転テーブル上に取り付けて、該案内ローラにフラットケーブルを巻き付ける
ことを特徴とするフラットケーブル巻取装置の組立方法。
【発明の詳細な説明】
【技術分野】
【０００１】
本発明は、フラットケーブル巻取装置及びその組立方法に関する。
【背景技術】
【０００２】
例えば、自動車のスライドシートやスライドドア等のスライド部材と車体との間の配線には、フラットケーブルが用いられることが多い。この種の用途に使用されるフラットケーブルには、スライド部材のスライド動作に伴って余長が発生する。そこで、その余長分を吸収するためにフラットケーブル巻取装置が設けられている。
【０００３】
フラットケーブル巻取装置は、例えば車体側に設置されており、スライド部材のスライドに伴ってフラットケーブルを巻き取ったり繰り出したりして、フラットケーブルに余分な弛みができないようにする。
【０００４】
このフラットケーブル巻取装置の一例として、特許文献１に記載のものが知られている。図７は、特許文献１に記載のフラットケーブル巻取装置の分解斜視図である。
【０００５】
フラットケーブル２０２は、車体フロア側に一端２０２Ａが接続され、スライド部材側に他端２０２Ｂが接続される。このフラットケーブル巻取装置２０１は、巻き取ったフラットケーブル２０２を収容するケース２０３と、ケース２０３内に回転自在に設けられた回転テーブル２０４と、回転テーブル２０４上に回転自在に支持された複数の案内ローラ２０５と、ケース２０３の底板２３１と回転テーブル２０４との間に配置されるゼンマイバネ２０６と、を備える。ゼンマイバネ２０６は、一端がケース２０３に係止され、他端が回転テーブル２０４に係止されることで、回転テーブル２０４に巻取方向Ｒの回転付勢力を付与する。
【０００６】
ケース２０３は、底板２３１と円筒壁２３２とを一体に有する有底筒状のロアケース２０３Ａと、ロアケース２０３Ａの上面開口を閉塞するアッパケース２０３Ｂと、からなる。ロアケース２０３Ａの底板２３１の上面中心部には、回転テーブル２０４を回転自在に支持する中心軸２０７が立設されている。ロアケース２０３Ａの円筒壁２３２には、フラットケーブル２０２を導入出するためのケーブル挿通部２３３が設けられている。
【０００７】
このフラットケーブル巻取装置２０１を組み立てる場合は、まず、回転テーブル２０４の下面側にゼンマイバネ２０６を取り付ける。次にそれをロアケース２０３Ａに組み付ける。ついで、回転テーブル２０４を回転させてゼンマイバネ２０６に付勢力を蓄えさせた上で、回転テーブル２０４を回転止めする。またその前後に、複数の案内ローラ２０５を回転テーブル２０４上に取り付ける。そしてフラットケーブル２０２の一端２０２Ａ側を中心軸２０７に組み付けながら、所定の経路でフラットケーブル２０２を取り回し、フラットケーブル２０２の他端２０２Ｂ側をケーブル挿通部２３３からケース２０３外に導出する。
【０００８】
その状態で回転テーブル２０４の回転止めを外す。すると、複数の案内ローラ２０５が、ゼンマイバネ２０６によって付勢された回転テーブル２０４の巻取方向Ｒへの回転に伴い、ケーブル挿通部２３３からケース２０３内に導入されているフラットケーブル２０２を複数の案内ローラ２０５の外周に外側巻付部として巻き付ける。同時に、複数の案内ローラ２０５のうちの一つが反転ローラとして、ケーブル挿通部２３３から導入されたフラットケーブル２０２を中心軸２０７に向かって反転させ、中心軸２０７の周囲に内側巻付部として巻き付ける。
【０００９】
このように、スライド部材のスライド動作に伴ってフラットケーブル２０２に余長分が発生しているときには、ゼンマイバネ２０６の力によってフラットケーブル２０２の巻き取りが行われる。また、スライド部材のスライド動作に伴ってフラットケーブル２０２に引き出し力が作用したときには、ゼンマイバネ２０６の力に抗して回転テーブル２０４が巻取方向Ｒと反対方向に回転する。それにより、外側巻付部及び内側巻付部として巻き取られていたフラットケーブル２０２がケース２０３の外部に繰り出される。
【先行技術文献】
【特許文献】
【００１０】
【特許文献１】特開２０１４−１１３０１９号公報
【発明の概要】
【発明が解決しようとする課題】
【００１１】
ところで、ゼンマイバネ２０６は、回転テーブル２０４の板面に平行な面内（Ｘ−Ｙ平面内）で主に回転方向の付勢力を発揮するものである。しかし、例えば組み立ての過程で、ゼンマイバネ２０６に付勢力を蓄えさせた状態で何らかの要因によりバランスが崩れることがある。この場合、ゼンマイバネ２０６にＸ軸周りやＹ軸周りの回転力が発生することがある。そうすると、ゼンマイバネ２０６に蓄えた力がＺ軸方向にも作用することになり、それによって、ゼンマイバネ２０６や回転テーブル２０４がケース２０３から飛び出ししまうことがある。
【００１２】
本発明は、上述した事情に鑑みてなされたものであり、その目的は、例えば組み立て時における回転テーブルや付勢部材の飛び出しを防止することのできるフラットケーブル巻取装置及びその組立方法を提供することにある。
【課題を解決するための手段】
【００１３】
前述した目的を達成するために、本発明に係るフラットケーブル巻取装置及びその組立方法は、下記（１）〜（３）を特徴としている。
（１）  フラットケーブルの一端が接続され、他端側を繰り出し可能に巻き取るフラットケーブル巻取装置であって、
上面中心部に前記フラットケーブルの一端側を保持する中心軸が立設されたベースプレートと、
前記ベースプレートの上面に配置され、中心孔を前記中心軸に嵌めることで、前記中心軸の周りに回転自在に支持される回転テーブルと、
前記ベースプレートと前記回転テーブルとの間に介装され、一端が前記回転テーブルに係止され、他端が前記ベースプレートに係止されることで、前記回転テーブルをフラットケーブルの巻取方向に回転付勢する付勢部材と、
前記付勢部材及び前記回転テーブルを内部に収容しつつ前記ベースプレートに装着される筒壁体と、を備え、
前記筒壁体の内周壁面には、前記筒壁体が前記ベースプレートに固定された状態で、前記回転テーブルの前記ベースプレートから離隔する方向への飛び出しを阻止するリブが形成されている
ことを特徴とするフラットケーブル巻取装置。
【００１４】
（２）  前記回転テーブルの上面には、前記付勢部材によって回転付勢された前記回転テーブルの巻取方向への回転によりフラットケーブルを巻き取る複数の案内ローラが周方向に沿って複数配設されている
ことを特徴とする上記（１）に記載のフラットケーブル巻取装置。
【００１５】
（３）  上記（２）に記載のフラットケーブル巻取装置の組立方法であって、
前記回転テーブルの下面に前記付勢部材を取り付け、それを前記ベースプレートに取り付けた後、前記ベースプレートに前記筒壁体を組み付け固定し、その状態で、前記回転テーブルを巻取方向と反対方向に回転させて前記付勢部材に付勢力を蓄えさせた上で、前記複数の案内ローラを前記回転テーブル上に取り付けて、該案内ローラにフラットケーブルを巻き付ける
ことを特徴とするフラットケーブル巻取装置の組立方法。
【００１６】
上記（１）の構成のフラットケーブル巻取装置によれば、ロアケースをベースプレートと筒壁体の二つに分割している。そして、筒壁体の内周壁面に、回転テーブルの飛び出しを防止するリブを設けている。そのため、例えば組立過程において発生することのあったゼンマイバネなどの付勢部材と回転テーブルのケースからの飛び出しを防止することができる。よって、安全且つスムーズに組立作業を進めることができる。また、付勢部材を組み付けて輸送する際に、振動があっても、付勢部材や回転テーブルがケースから飛び出ることがなく、不良品の発生を減らすことができる。
【００１７】
上記（２）の構成のフラットケーブル巻取装置によれば、付勢部材と回転テーブルのケースからの飛び出しを防止したうえで、さらに、フラットケーブルの巻取装置に対する巻き取り及び繰り出しがスムーズになる。
【００１８】
上記（３）の構成のフラットケーブル巻取装置の組立方法によれば、付勢部材に付勢力を蓄えさせた状態であっても、確実にケースからの回転テーブルや付勢部材の飛び出しを防止できる。したがって、安全且つスムーズにフラットケーブル巻取装置の組立作業を進めることができる。また、付勢部材を組み付けて輸送する際に、振動があっても、付勢部材や回転テーブルがケースから飛び出ることがないので、不良品の発生を減らすことができる。
【発明の効果】
【００１９】
本発明によれば、ゼンマイバネに付勢力を蓄えさせた状態であっても、確実に回転テーブルやゼンマイバネのケースからの飛び出しを防止することができる。
【００２０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２１】
【図１】図１は、本発明の実施形態に係るフラットケーブル巻取装置の主要部構成を示す分解斜視図である。
【図２】図２は、フラットケーブル巻取装置の主要部構成を示す斜視図である。
【図３】図３は、フラットケーブル巻取装置の主要部構成を示す平面図である。
【図４】図４は、フラットケーブル巻取装置の中の回転テーブルを単品で取り出して示す斜視図である。
【図５】図５は、図３のＡ−Ａ矢視断面図である。
【図６】図６は、図５のＢ円部の拡大図である。
【図７】図７は、従来のフラットケーブル巻取装置の分解斜視図である。
【発明を実施するための形態】
【００２２】
本発明に関する具体的な実施形態について、各図を参照しながら以下に説明する。
【００２３】
図１は、本発明の実施形態に係るフラットケーブル巻取装置の主要部構成を示す分解斜視図である。図２は、同フラットケーブル巻取装置の主要部構成を示す斜視図、図３は、同平面図である。図４は、フラットケーブル巻取装置の中の回転テーブルを単品で取り出して示す斜視図、図５は、図４のＡ−Ａ矢視断面図、図６は、図５のＢ円部の拡大図である。
【００２４】
この実施形態のフラットケーブル巻取装置は、図７に示したものと同様に、フラットケーブル２０２（図７参照）の一端２０２Ａ側を巻き取り他端２０２Ｂ側を繰り出す巻取装置であり、フラットケーブルを収容する樹脂製のケースを有している。ケースは、ロアケースとアッパケースとからなるが、図１〜図３では、アッパケースは図示を省略し、ロアケースのみを示している。
【００２５】
図１に示すように、このフラットケーブル巻取装置Ｍは、ロアケース１０を、ベースプレート１と円筒状の筒壁体４との２部品に分割したことを第１の特徴としている。このフラットケーブル巻取装置Ｍは、そのほかに、回転テーブル２と、付勢手段としてのゼンマイバネ３と、複数の案内ローラ５と、を有している。
【００２６】
図１〜図３に示すように、ベースプレート１は、円盤状の部材であり、上面中心部に、フラットケーブルの一端側を保持する中心軸７が立設されている。中心軸７には、後述するゼンマイバネ３の内周端を係止する溝やフラットケーブルの一端側を装着する溝などが設けられている。
【００２７】
回転テーブル２は、ベースプレート１の上面に配置されるリング板状の部材であり、中心孔２Ｃをベースプレート１の中心軸７の外周に嵌めることで、中心軸７の周りに回転自在に支持されている。この回転テーブル２の上面の中心孔２Ｃの周囲には、周方向に適宜の間隔をおいてローラ支持部２Ａが設けられている。また、図４に示すように、回転テーブル２の上面外周縁には、切欠状の段部２Ｂがほぼ全周にわたって形成されている。
【００２８】
ゼンマイバネ３は、ベースプレート１と回転テーブル２との間に介装され、一端（外周端）が回転テーブル２の下面係止され、他端（内周端）がベースプレート１の中心軸７に係止される。これにより、ゼンマイバネ３は、回転テーブル２をフラットケーブルの巻取方向に回転付勢する。
【００２９】
円筒状の筒壁体４は、ベースプレート１と共にロアケース１０を構成するもので、周壁の一部にフラットケーブルの導入出用のケーブル挿通部６を有する。また、本実施形態の第２の特徴として、筒壁体４の内周壁面には、円周方向に沿って環状にリブ４Ｂが突設されている。
【００３０】
筒壁体４は、図５に示すように、ゼンマイバネ３及び回転テーブル２を内部に収容しつつ、ベースプレート１の上に装着される。そして筒壁体４は、その状態でベースプレート１に固定されることで、ベースプレート１と共にロアケース１０を構成する。なお、図示しないが、ベースプレート１と筒壁体４には、両者を固定するための固定機構が設けられている。このように筒壁体４をベースプレート１に組み付け固定すると、図５及び図６に示すように、筒壁体４の内周壁面に突設されたリブ４Ｂが、回転テーブル２の外周縁の段部２Ｂに係合し、これにより、回転テーブル２は上方へ飛び出さないように規制されることになる。
【００３１】
回転テーブル２の上面の各ローラ支持部２Ａには、それぞれに案内ローラ５が回転自在に組み付けられる。これら複数の案内ローラ５は、ゼンマイバネ３によって回転付勢された回転テーブル２の巻取方向への回転により、フラットケーブルを巻き取る。その際、複数の案内ローラ５のうち、１つの案内ローラ５は、フラットケーブルを中心軸７に向かって反転させる反転ローラとして機能する。
【００３２】
このようなフラットケーブル巻取装置Ｍを組み立てる場合は、まず、回転テーブル２の下面にゼンマイバネ３を取り付け、ゼンマイバネ３の外周端を回転テーブル２の下面に係止する。次に、それをベースプレート１に取り付け、ゼンマイバネ３の内周端をベースプレート１の中心軸７に係止する。その後、筒壁体４の内部に回転テーブル２やゼンマイバネ３を収容しつつ、ベースプレート１に筒壁体４を組み付けて固定する。その状態で、回転テーブル２を巻取方向と反対方向に回転させて、ゼンマイバネ３に付勢力を蓄えさせ、図示しないピン等を利用して回転止めする。
【００３３】
このとき、筒壁体４の内周壁面に突設したリブ４Ｂが回転テーブル２の飛び出しを規制するので、ゼンマイバネ３に予想しない方向の回転力が作用した場合にも、それを押さえ付けて、ゼンマイバネ３や回転テーブル２の飛び出しを確実に防止することができる。
【００３４】
したがって、ゼンマイバネ３や回転テーブル２の飛び出しが発生しない安定した状態で、複数の案内ローラ５を回転テーブル２のローラ支持部２Ａに組み付けることができる。また、一端側を中心軸７に係合させながら、ケーブル挿通部６からロアケース１０内に導入したフラットケーブルをスムーズに所定の経路で取り回すことができる。
【００３５】
そして、回転テーブル２の回転止めを解除することにより、ゼンマイバネ３によって付勢された回転テーブル２の巻取方向への回転に伴い、ケーブル挿通部６から導入されたフラットケーブルを複数の案内ローラ５の外周に外側巻付部として巻き付けることができる。同時に、複数の案内ローラ５のうちの一つを反転ローラとして、ケーブル挿通部６から導入されたフラットケーブルを中心軸７に向かって反転させ、中心軸７の周囲にフラットケーブルを内側巻付部として巻き付けることができる。なお、アッパケースの取り付けは、適当なタイミングで行うことができる。
【００３６】
このように、スライド部材のスライド動作に伴ってフラットケーブルに余長が発生しているときには、ゼンマイバネ３の力によってフラットケーブルの巻き取りが行われる。また、スライド部材のスライド動作に伴ってフラットケーブルに引き出し力が作用したときには、ゼンマイバネ３の力に抗して回転テーブル２が巻取方向と反対方向に回転する。それにより、外側巻付部及び内側巻付部として巻き取られていたフラットケーブルがフラットケーブル巻取装置Ｍの外部に繰り出される。
【００３７】
以上説明したように、本実施形態のフラットケーブル巻取装置Ｍによれば、ロアケース１０をベースプレート１と筒壁体４の二つに分割している。そして、筒壁体４の内周壁面に、回転テーブル２の飛び出しを防止するリブ４Ｂを設けている。そのため、例えば組立過程において発生することのあったゼンマイバネ３と回転テーブル２のロアケース１０からの飛び出しを確実に防止することができる。よって、安全且つスムーズに組立作業を進めることができる。また、ゼンマイバネ３を組み付けて輸送する際に、振動があっても、ゼンマイバネ３や回転テーブル２がロアケース１０から飛び出ることがなく、不良品の発生を減らすことができる。
【００３８】
なお、前記実施形態のフラットケーブル巻取装置の適用対象としては、スライドシート用の電線配索装置、スライドドア用の電線配索装置、回動開閉するドアやボンネットなどに電線を配索するための配索装置を挙げることができる。さらには、車両に限らず、各種の可動部を備えた機器や装置において、可動部を跨いで電線を配索するための配索装置において本発明の巻取装置を利用してもよい。また、前記実施形態では、説明を簡略にするために、１本のフラットケーブルを巻き取る巻取装置Ｍを例示したが、複数本のフラットケーブルを束ねて巻き取る巻取装置に対しても、本発明を用いることができる。また、案内ローラ５の代わりに、フラットケーブルを筒壁体４内に案内するガイド部材を設置してもよい。
【００３９】
ここで、上述した本発明の実施形態に係るフラットケーブル巻取装置及びその組立方法の特徴をそれぞれ以下［１］〜［３］に簡潔に纏めて列記する。
［１］  フラットケーブルの一端が接続され、他端側を繰り出し可能に巻き取るフラットケーブル巻取装置（Ｍ）であって、
上面中心部に前記フラットケーブルの一端側を保持する中心軸（７）が立設されたベースプレート（１）と、
前記ベースプレート（１）の上面に配置され、中心孔（２Ｃ）を前記中心軸（７）に嵌めることで、前記中心軸（７）の周りに回転自在に支持される回転テーブル（２）と、
前記ベースプレート（１）と前記回転テーブル（２）との間に介装され、一端が前記回転テーブル（２）に係止され、他端が前記ベースプレート（１）に係止されることで、前記回転テーブル（２）をフラットケーブルの巻取方向に回転付勢する付勢部材（ゼンマイバネ３）と、
前記付勢部材（ゼンマイバネ３）及び前記回転テーブル（２）を内部に収容しつつ前記ベースプレート（１）に装着される筒壁体（４）と、を備え、
前記筒壁体（４）の内周壁面には、前記筒壁体（４）が前記ベースプレート（１）に固定された状態で、前記回転テーブル（２）の前記ベースプレート（１）から離隔する方向への飛び出しを阻止するリブ（４Ｂ）が形成されている
ことを特徴とするフラットケーブル巻取装置（Ｍ）。
【００４０】
［２］  前記回転テーブル（２）の上面には、前記付勢部材（ゼンマイバネ３）によって回転付勢された前記回転テーブル（２）の巻取方向への回転によりフラットケーブルを巻き取る複数の案内ローラ（５）が周方向に沿って複数配設されている
ことを特徴とする上記［１］に記載のフラットケーブル巻取装置（Ｍ）。
【００４１】
［３］  上記［２］に記載のフラットケーブル巻取装置（Ｍ）の組立方法であって、
前記回転テーブル（２）の下面に前記付勢部材（ゼンマイバネ３）を取り付け、それを前記ベースプレート（１）に取り付けた後、前記ベースプレート（１）に前記筒壁体（４）を組み付け固定し、その状態で、前記回転テーブル（２）を巻取方向と反対方向に回転させて前記付勢部材（ゼンマイバネ３）に付勢力を蓄えさせた上で、前記複数の案内ローラ（５）を前記回転テーブル（２）上に取り付けて、該案内ローラ（５）にフラットケーブルを巻き付ける
ことを特徴とするフラットケーブル巻取装置（Ｍ）の組立方法。
【符号の説明】
【００４２】
Ｍ  フラットケーブル巻取装置
１  ベースプレート
２  回転テーブル
２Ｃ  中心孔
３  ゼンマイバネ
４  筒壁体
４Ｂ  リブ
５  案内ローラ
【図１】
2020029312.tif 000003
【図２】
2020029312.tif 000004
【図３】
2020029312.tif 000005
【図４】
2020029312.tif 000006
【図５】
2020029312.tif 000007
【図６】
2020029312.tif 000008
【図７】
2020029312.tif 000009